(57)【要約】【課題】  多様な機能を担う居室空間の省スペース化を図る。【解決手段】居室空間は、上階空間と下階空間との２層に分けられる居室空間であって、前記上階空間と前記下階空間とを接続する、縁の一部が壁体により形成された開口部と、当該開口部を通過して設けられる昇降手段と、前記壁体の前記上階空間と前記下階空間との境界をまたぐ所定範囲に映像を表示する表示手段と、を備える。また、居室空間は、前記下階空間は他の屋内空間との境界を仕切る間仕切壁を備えており、当該間仕切壁の少なくとも一部に上下方向に複数の棚板を設置可能な収納部が設けられており、該収納部の１つの棚板は前記収納部から水平方向に突出して、机の天板を形成する。【選択図】図１
2014062418.tif 000002
【特許請求の範囲】
【請求項１】
上階空間と下階空間との２層に分けられる居室空間であって、
前記上階空間と前記下階空間とを接続する開口部と、
前記開口部の縁の一部を形成する壁体と、
当該開口部を通過して設けられる昇降手段と、
前記壁体の前記上階空間と前記下階空間との境界をまたぐ所定範囲に映像を表示する表示手段と、
を備えることを特徴とする居室空間。
【請求項２】
前記上階空間が小屋裏部屋であることを特徴とする請求項１に記載の居室空間。
【請求項３】
前記下階空間は他の屋内空間との境界を仕切る間仕切壁を備えており、
当該間仕切壁の少なくとも一部に上下方向に複数の棚板を設置可能な収納部が設けられており、該収納部の１つの棚板は前記収納部から水平方向に突出して、机の天板を形成することを特徴とする請求項１又は請求項２に記載の居室空間。
【請求項４】
前記収納部は少なくとも一部が間仕切壁内に収まることを特徴とする請求項３に記載の居室空間。
【請求項５】
前記収納部に隣接して衣装収納部が設けられており、当該衣装収納部は、少なくとも一部が間仕切壁内に収まることを特徴とする請求項４に記載の居室空間。
【請求項６】
前記下階空間は少なくとも一部がリビング方向に開放して設けられることを特徴とする請求項１から請求項５のいずれかに記載の居室空間。
【請求項７】
請求項１から請求項６のいずれかに記載の居室空間を有することを特徴とする住宅。
【請求項８】
請求項１から請求項６のいずれかに記載の居室空間を有することを特徴とする住宅展示物。
【発明の詳細な説明】
【技術分野】
【０００１】
本発明は、居室空間、住宅、及び住宅展示物に関し、特に、上階空間と下階空間との２層に分けられており、当該上階空間と下階空間とが開口により接続される居住空間、当該居住空間を有する住宅、及び当該居住空間を有する住宅展示物に関する。
【背景技術】
【０００２】
従来より、住宅の空間の効率的な利用を図るため、多くの発明がなされている。例えば居室空間の天井の一部を吹き抜け構造にして、居室空間の上の小屋裏を居室スペース又は収納スペースとして利用するものが良く知られている（例えば、特許文献１、及び特許文献２参照）。
【０００３】
また、住宅に設けられる子供部屋の配置や構造を工夫して、親子のコミュニケーションを図りつつ、子供部屋の居住性を向上させる発明が種々なされている（例えば、特許文献３、及び特許文献４）。
【先行技術文献】
【特許文献】
【０００４】
【特許文献１】特開平９−１７７３０４号公報
【特許文献２】特開２００５−１２７０６０号公報
【特許文献３】特開２００２−１６７９７９号公報
【特許文献４】特開２００２−３３９５８１号公報
【発明の概要】
【発明が解決しようとする課題】
【０００５】
ところで、子供部屋などの居室空間は、寝室、勉強部屋、遊び部屋、収納等の多くの機能を担っているため、省スペース化を行うことが難しい。
【０００６】
そこで、本発明は、多様な機能を担う居室空間の省スペース化を図ることを目的とする。
【課題を解決するための手段】
【０００７】
請求項１に記載の居室空間は、上階空間と下階空間との２層に分けられる居室空間であって、前記上階空間と前記下階空間とを接続する開口部と、前記開口部の縁の一部を形成する壁体と、当該開口部を通過して設けられる昇降手段と、前記壁体の前記上階空間と前記下階空間との境界をまたぐ所定範囲に映像を表示する表示手段と、を備えることを特徴としている。
【０００８】
請求項２に記載の居室空間は、前記上階空間が小屋裏部屋であることを特徴としている。
【０００９】
請求項３に記載の居室空間は、前記下階空間は他の屋内空間との境界を仕切る間仕切壁を備えており、当該間仕切壁の少なくとも一部に上下方向に複数の棚板を設置可能な収納部が設けられており、該収納部の１つの棚板は前記収納部から水平方向に突出して、机の天板を形成することを特徴としている。
【００１０】
請求項４に記載の居室空間は、前記収納部は少なくとも一部が間仕切壁内に収まることを特徴としている。
【００１１】
請求項５に記載の居室空間は、前記収納部に隣接して衣装収納部が設けられており、当該衣装収納部は、少なくとも一部が間仕切壁内に収まることを特徴としている。
【００１２】
請求項６に記載の居室空間は、前記下階空間は少なくとも一部がリビング方向に開放して設けられることを特徴としている。
【００１３】
請求項７に記載の住宅は、請求項１から請求項６のいずれかに記載の居室空間を有することを特徴としている。
【００１４】
請求項８に記載の住宅展示物は、請求項１から請求項６のいずれかに記載の居室空間を有することを特徴としている。
【発明の効果】
【００１５】
請求項１に記載の居室空間は、居室空間を上階空間と下階空間との２層に分けることによって、合計の床面積を狭くすることなく、平面視した場合の面積を小さくすることができ、居室空間を省スペース化することができる。そしてこのように２層に分けた場合でも、表示手段により開口部の縁の一部を形成する壁体の上階空間と下階空間との境界をまたぐ所定範囲に映像を表示するので、表示される映像は上階空間からも下階空間からも見ることができる。このように、表示手段により映像コンテンツを表示することにより、上階空間に居る場合にも下階空間に居る場合にも当該映像コンテンツを視聴することができる。したがって、上階空間及び下階空間にそれぞれ表示手段を設ける場合よりも、省スペース化を図ることができるとともに、表示手段が１つでよいので低コスト化を図ることができる。
【００１６】
請求項２に記載の居住空間は、上階空間が小屋裏部屋であるので、いっそう省スペース化を図ることができる。
【００１７】
請求項３に記載の居住空間によると、上下方向に複数の棚板を設置可能な収納部の１つの棚板が当該収納部から水平方向に突出して、机の天板を形成しているので、収納部の棚板も机の天板の一部として利用することができ、省スペース化を図ることができる。また、収納部が机に隣接して設けられることになるので、椅子に座った状態のまま、収納部に収納されている書籍などを取ることができる。
【００１８】
請求項４に記載の居住空間によると、収納部は少なくとも一部が間仕切壁内に収まるので、省スペース化を図ることができる。
【００１９】
請求項５に記載の居室空間によると、収納部に隣接して衣装収納部が設けられており、当該衣装収納部もまた、少なくとも一部が間仕切壁内に収まるので省スペース化を図ることができる。
【００２０】
請求項６に記載の居室空間によると、下階空間は少なくとも一部がリビング方向に開放して設けられるので、居室空間を子供部屋として利用する場合に、居室空間からリビングを見ることができ、又はリビングから居室空間を見ることができ、親子のコミュニケーションを図ることができる。
【００２１】
請求項７に記載の住宅によると、請求項１から請求項６のいずれかの効果を有する住宅とすることができる。
【００２２】
請求項８に記載の住宅展示物によると、請求項１から請求項６のいずれかの効果を体感することができる住宅展示物とすることができる。
【図面の簡単な説明】
【００２３】
【図１】居室空間の構成を示す一部省略斜視図。
【図２】プロジェクタの設置位置を説明する簡略断面図。
【図３】収納部及び机の構成を説明する簡略断面図。
【図４】下階空間の天井及び下階空間から見た開口部の構成を説明する図。
【図５】居室空間の住宅における配置を説明する間取り図。
【発明を実施するための形態】
【００２４】
以下、各図を参照しつつ、本発明の居室空間１、住宅、及び住宅展示物について説明する。居室空間１は住宅又は住宅展示物の一部の区切られた空間である。また、住宅は、例えば工業化住宅である。住宅展示物は例えばモデルハウスのように一棟の住宅全体を展示するものの他、住宅の一部を再現して展示するものであってもよい。
【００２５】
まず、図１等を参照しつつ、居室空間１の構成を説明する。なお、図１では、図示の都合上、上階空間２と下階空間３とを分離して記載しており、屋根、梯子８、他の屋内空間２６などの一部の構成の記載を省略している。居室空間１は、図１に示すように、上階空間２と下階空間３との２層に分けられている。本実施形態においては、２階建て住宅の２階に下階空間３が設けられ、小屋裏に上階空間２が設けられている。上階空間２は、Ｌ字状に形成された床９及び開口部６の上側の平面視長方形の空間である。上階空間２の平面視一方の長辺となる面には外壁４が形成されるとともに残りの三辺となる面には間仕切壁５が形成されている。上階空間２の床９の一部には、下階空間３に通じる開口部６が設けられている。開口部６は平面視長方形に形成されており、外壁４側であって、外壁４に隣接する一方の間仕切壁５側に寄って配置されている。すなわち、開口部６の縁７のうち一辺は外壁４により形成されている。なお、図４に示すように、開口部６の縁７には昇降手段としての梯子８が設けられており、居住者が下階空間３と上階空間２との間を昇降できるように構成している。
【００２６】
なお、本発明における「壁体」は、本実施形態において外壁４に相当するが、本発明の「壁体」は例えば間仕切壁５であってもよい。上階空間２の上部には図示しないが片流れの屋根が形成されており、上階空間２の天井は外壁４側に向かって下り勾配に形成されている。したがって、上階空間２の床９が形成されている部分の大半は天井が高くなっている部分に形成されており、居住性に優れる。
【００２７】
図２に示すように、上階空間２の床９と下階空間３の天井１０との間の天井懐１２にはプロジェクタ１１が収納されている。プロジェクタ１１は開口部６の縁７のうち外壁４に対向する位置には、図２及び図４に示すように、レンズ１１ａが配置されており、外壁４の屋内側の面に向かって映像を映写することができる。このときプロジェクタ１１は外壁４の上階空間２と下階空間３との境界をまたぐ所定範囲１３に映像を映写する。これにより上階空間２に居る場合にも下階空間３に居る場合にも当該映像コンテンツを視聴することができる。また、例えば外壁４の屋内側面にスピーカ１４が設けられており、映写される映像に応じて音声を発生させる。なお、外壁４の屋内側の面は、プロジェクタ１１のスクリーンとして利用できるように模様のない白い壁紙が貼り付けられていることが好ましい。なお、壁紙とは別に外壁４の屋内側面に図示しないスクリーンが吊下げられる構成であってもよい。また、「映像」は例えばテレビ番組や録画されている映像コンテンツ又はインターネット上で配信されている映像コンテンツ等の様々な映像コンテンツである。
【００２８】
このようにプロジェクタ１１を、上階空間２の床９と下階空間３の天井１０との間の天井懐１２に収納することで、本来利用されない空間である天井懐１２を利用してより省スペース化を図ることができ、プロジェクタ１１は開口部６を挟んで対向する外壁４に映像を映写するので、プロジェクタ１１と外壁４との間に遮蔽物が入り込むことを防ぐことができる。
【００２９】
なお、プロジェクタ１１は例えば上下方向に映写角度を調節することができるように構成してもよい。このように構成すると、映写する角度を上階空間２の天井に向けて、天井に映像を映写することができ、例えば寝転がった状態のようにリラックスした状態で映像コンテンツを視聴することができる。
【００３０】
なお、本発明の「表示手段」はプロジェクタ１１に限定されるものではなく、例えば、図示しないが、壁掛け型の液晶表示装置などのように表示手段自体に映像を表示するものであってもよい。この場合には、上階空間２と下階空間３との境界をまたぐ所定範囲１３に液晶表示装置などの表示手段を配置すればよい。
【００３１】
下階空間３は、図１に示すように、上階空間２の直下の２階に設けられる平面視矩形の空間であって、平面視一方の長辺となる面には外壁４が形成され、一方の短辺となる面には間仕切壁５が形成されている。平面視他方の短辺となる面は、一部が開放されて居室空間１の出入り口１５となっており、他の部分には収納部１６及び衣装収納部１７の一部が間仕切壁５に埋め込まれた間仕切り収納部１８が形成されている。
【００３２】
衣装収納部１７は、１枚の棚板１９により２段に収納スペースが分けられて形成されており、図示しないが例えば衣類を吊るす為のハンガーバー等が設けられている。また、収納部１６は４枚の棚板１９によって５段の棚が設けられており、書籍などを収納することができる。この収納部１６の４枚の棚板１９のうち、上から３つ目の棚板１９ａは収納部１６から水平に突出して形成しており、その棚板１９ａの先端が床面上に立設されている脚板２０に支持されて、机３２の天板２１を形成している。
【００３３】
このように棚板１９ａが収納部１６から水平方向に突出して、机３２の天板２１を形成していることで、収納部１６の棚板１９ａも机３２の天板２１の一部として利用することができ、省スペース化を図ることができる。また、収納部１６が机３２に隣接して設けられることになるので、椅子２２に座った状態のまま、収納部１６に収納されている書籍などを取ることができる。なお、机３２は、居住者が座る椅子２２の反対側が外壁４の屋内側面に当接している。
【００３４】
収納部１６及び衣装収納部１７により形成される間仕切り収納部１８は、例えば２本の柱２３間に固定された板を間仕切り収納部１８の背面板２４として利用しつつ、間仕切壁５としても利用することで、間仕切壁５と間仕切り収納部１８とを一体形成して、省スペース化を図っている。なお、収納部１６及び衣装収納部１７の構成はこれに限定されるものではなく、例えば、住宅を構成する部材に固定されていない収納部１６及び衣装収納部１７を単に下階空間３の床２５に載置することによって、間仕切壁５として利用するものであってもよい。また、隣接する屋内空間２６との間を完全に仕切るものでなくても良く、例えば収納部１６の背面板２４の一部又は全部が設けられておらず、各棚を覗く事で下階空間３から隣接する他の屋内空間２６を視認することができる構成としてもよい。
【００３５】
下階空間３の外壁４側と反対側の面は、床面から約８０ｃｍほどの高さまでの立上がり部２７が設けられている。立上がり部２７の上側は他の屋内空間２６に向かって開放された屋内側開放部２８が設けられており、下階空間３から他の屋内空間２６を視認することができるように形成されている。また、一部には立上がり部２７が設けられておらず、居室空間１の出入り口１５を形成している。図５に示すように、屋内側開放部２８は廊下を挟んで２階と１階との間を行き来する幅広の大階段２９が設けられている。
【００３６】
大階段２９を降りた１階側には２階部分まで吹き抜けとなっているリビング３０及びキッチン３１が設けられており、下階空間３の内部から屋内側開放部２８を通してリビング３０及びキッチン３１の一部が視認可能に配置されている。また、リビング３０及びキッチン３１からも下階空間３の一部が視認可能になっている。したがって、リビング３０やキッチン３１に居る居住者と居室空間１に居る居住者との間でコミュニケーションが取り易い配置となっている。一方、上階空間２は外壁４側に寄って開口部６が設けられているので、リビング３０やキッチン３１から視認することはできない。したがって、居室空間１を子供部屋としたときに、下階空間３では親子のコミュニケーションを取りつつ、上階空間２では子供のプライバシーを守ることができる子供部屋とすることができる。
【００３７】
以上のように本実施形態の居住空間を備えた住宅は、例えば子供部屋として利用する居住空間を省スペース化しつつ、上階空間２でも下階空間３でも映像コンテンツを視聴することができる。また、リビング３０やキッチン３１の居住者との間でコミュニケーションをとりつつ、プライバシーも確保することができる居住空間を備えた住宅とすることができる。また、本実施形態の居住空間を備えた住宅展示物は、上述のような効果を体感することができる住宅展示物とすることができる。
【００３８】
なお、本発明の実施の形態は上述の形態に限ることなく、本発明の思想の範囲を逸脱しない範囲で適宜変更することができることは云うまでもない。
【産業上の利用可能性】
【００３９】
本発明に係る居住空間は、例えば子供部屋として好適に用いることができる。
【符号の説明】
【００４０】
１      居室空間
２      上階空間
３      下階空間
４      外壁（壁体）
５      間仕切壁
６      開口部
７      縁
１１    プロジェクタ（表示手段）
１２    天井懐
１３    所定範囲
１６    収納部
１７    衣装収納部
１９，１９ａ  棚板
２１    天板
３０    リビング
【図１】
2014062418.tif 000003
【図２】
2014062418.tif 000004
【図３】
2014062418.tif 000005
【図４】
2014062418.tif 000006
【図５】
2014062418.tif 000007